【事件の表示】
　昭和６３年特許願第９０９６８号「空燃比センサ」拒絶査定に対する審判事件（平成１年１０月１９日出願公開、特開平１−２６２４５８）について、次のとおり審決する。
【結論】
　本件審判の請求は、成り立たない。
【理由】
１．手続の経緯・本願発明
　本願は、昭和６３年４月１３日に出願されたものであって、その請求項に係る発明は、平成１年４月１０日付け、平成８年９月１２日付け及び平成９年２月５日付け手続補正書により補正された明細書及び図面の記載からみて、その特許請求の範囲の請求項１に記載された次のとおりのものと認める。
「複数の固体電解質基板が積層されてなり、この固体電解質基板間に測定ガスを導入し、測定ガスの濃度を検出する空燃比センサにおいて、
　上記固体電解質基板の測定雰囲気と接する側面を、該固体電解質基板と同時焼成されて形成され、カーボンの侵入を防止して該固体電解質基板間を絶縁するアルミナ又はスピネルからなる絶縁層で覆うことを特徴とする空燃比センサ。」（以下、「本願発明」という。）
　なお、本願については、平成９年７月４日付け手続補正がなされたが、これは平成１１年６月７日付けの補正の却下の決定により却下され、該決定は確定している。
２．引用刊行物
　これに対して、原査定の拒絶の理由に引用された実願昭６１−３５００７号（実開昭６２−１４６９５６号）のマイクロフイルム（以下、「引用例１」という）には、次のことが図面とともに記載されている。
「（作用）
　このような構成を有する考案においては、ポンプセルおよびセンサセルの各カソードは、拡散律速部を介して拡散部に導入された被測定ガス（排気ガス）に接し、ポンプセルおよびセンサセルの各アノードは基準ガス導入部に導入された一定酸素濃度の基準ガスと接している。したがって、ポンプセルのアノードは直接被測定ガスに晒されることがないので、被測定ガス中のカーボンや不純物のポンプアノードヘの付着が防止される。」（７頁１８行〜８頁７行）、
「第１図（ａ），（ｂ）は本考案に係る酸素センサの第１実施例を示す図である。
　まず、構成を説明する。第１図（ａ）、（ｂ）において、３１は平板状の第１絶縁体であり、・・・この第１絶縁板３１の上に、平板状の第１固体電解質３３、第２絶縁板３４、第２固体電解質３５および第３絶縁板３６が略平行に順次積層される。第１、第２固体電解質３３、３５は酸素イオン伝導性の酸化ジルコニウム等を主成分としており、第３絶縁板３６にはヒータ３７が印刷内蔵されている。第２絶縁板３４には大きな矩形状の貫通孔３４ａが形成され、第１、第２固体電解質３３、３５の上、下面とともに拡散部３８を画成している。３４ｂは貫通孔３４ａに略直交して第２絶縁板３４に設けられた拡散律速孔（拡散律速部）であり、酸素センサ外部と拡散部３８を連通する。３９は拡散部３８と隔壁３４ｃを介して第２絶縁板３４に形成された基準ガス導入部である。」（８頁１１行〜９頁８行）、
「次に、第２図（ａ）、（ｂ）は本考案に係る酸素センサの第２実施例を示す図である。第２図（ａ）、（ｂ）において、５４は例えば多孔質セラミック等により形成された平板状の多孔質板であり、酸素センサの拡散律速孔３４ｂが排気中に開口する側に積層して設けられる。このため、酸素センサ外部の排気ガスが拡散律速孔３４ｂを介して拡散部３８に導入されるとき、排気ガスはこの多孔質板５４を通過して、多孔質板５４によって排気ガス中のカーボンや不純物が除去される。したがって・・・拡散部３８に接する電極４０、４２にカーボンや不純物が付着することを防止できるという利点がある。」（１３頁４行〜１７行）
　引用例１の第２図には、平板状の多孔質板５４が、板状の第１及び第２の固体電解質３３、３５が積層された積層体の、拡散律速孔３４ｂを有する端部を覆うように配置されていることがみてとれる。
　同じく引用された特開昭５５−７８２４５号公報（以下、「引用例２」という）には、次のことが図面とともに記載されている。
「前焼結された、又は仕上げ焼結された固体電解質上に電極膜を施すことにより電気化学的に使用される、固体電解質上の層系を製造する方法において、焼結前の、又は電極膜中で焼結工程が展開する熱処理前の電極膜上にセラミック材料から成る、少なくとも１種の多孔性被覆層を施し、引続き固体電解質上のこの層系を焼結することを特徴とする、電気化学的に使用される固体電解質上に設けられる層系の製法」（特許請求の範囲第１項）、
「多孔性被覆層を酸化アルミニウム、マグネシウム尖晶石、・・・から単独で又は混合されて形成する、特許請求の範囲第１〜５項のいずれかに記載の方法。」（特許請求の範囲第６項）、
「本発明は電気化学的に使用される固体電解質上に設けられる層系を製造する方法から出発する。例えば排気ガス中の酸素含量を測定するための測定センサ・・・の層系は一般には・・・排気ガスに曝される電極膜に多孔性セラミック被覆層を被覆し、引続き該被覆層を再度焼結して製造される。」（２頁右上欄１４行〜同頁左下欄２行）
３．対比・判断
　そこで、本願発明と引用例１に記載された発明とを対比すると、引用例１の「第１の固体電解質３３、第２の固体電解質３５」「酸素センサ」はそれぞれ本願発明の「複数の固体電解質基板」「空燃費センサ」に相当することは明らかである。また、引用例１の「多孔質セラミック」は通常絶縁体であり、それにより形成された多孔質板５４は第１，第２の固体電解質３３，３５の積層された積層体の測定雰囲気に接する面を覆って形成されているので、カーボンの内部への付着を防止し、両固体電解質の端部間を絶縁する作用を有していることは明らかであるから、引用例１の「平板状の多孔質板５４」は本願発明の「絶縁層」に相当するとともに、引用例１及び本願発明の空燃比センサ（酸素センサ）は、「固体電解質基板の測定雰囲気と接する側面を、カーボンの侵入を防止して該固体電解質基板間を絶縁する絶縁層で覆う」といいうるものである。
　したがって、両者は、「複数の固体電解質基板が積層されてなり、この固体電解質基板間に測定ガスを導入し、測定ガスの濃度を検出する空燃比センサにおいて、上記固体電解質基板の測定雰囲気と接する側面を、カーボンの侵入を防止して該固体電解質基板間を絶縁する絶縁層で覆う空燃比センサ」である点で一致し、次の点で相違する。
相違点：
▲１▼絶縁層が、本願発明のものは、固体電解質基板と同時焼成されて形成されているのに対し、引用例１には、上記製造方法は記載されていない点。
▲２▼絶縁層が、本願発明のものは、アルミナ又はスピネルからなるのに対し、引用例１には、多孔質セラミックと記載されているが、その具体的な材料名が記載されていない点。
　上記相違点について検討する。
相違点▲１▼について：
　酸素センサにおいて、絶縁層を、検知素子の基体と同時焼成して形成することは周知（必要であれば原審の拒絶理由に引用された特開昭５６−１１１４６０号公報参照）のことにすぎないので、上記相違点▲１▼の構成とすることは、周知技術を勘案して当業者が任意に設計し得る程度のことである。
相違点▲２▼について：
　酸素センサにおいて、被覆層の多孔質セラミック材料としてアルミナ又はスピネルを用いることは引用例２に記載（該引用例２には、例えば「多孔性被覆層を酸化アルミニウム、マグネシウム尖晶石」との記載がある。）されており、上記材料を引用例１の酸素センサの多孔質板のセラミック材料として使用することにより上記相違点▲２▼の構成とすることは、当業者が容易に想到し得る程度のことにすぎない。
　そして、本願発明が奏する作用効果は引用例１，２に記載された発明及び周知技術から当然に予測しうる程度のものである。
４．むすび
　したがって、本願発明は、引用例１，２に記載された発明及び周知技術に基づいて当業者が容易に発明をすることができたものであるから、特許法第２９条第２項の規定により特許を受けることができない。
　よって、結論のとおり審決する。